(57)【要約】【課題】戸体の開閉を行うための操作部が外側から目立たず、戸体の統一的なデザインを実現できる構造の建具を提供すること。【解決手段】枠付ドア１０は、枠体１１と、枠体１１に開閉可能に取り付けられる戸体１２と、閉鎖位置の戸体１２を枠体１１に固定するラッチ機構１８と、戸体１２の表面を構成する室外側面材１４によって形成される手掛け部１７と、ラッチ機構１８による戸体１２の固定を解除する室外側操作部１９と、を備える。室外側面材１４における手掛け部１７の隣接部分８２が、手掛け部１７に対して見込方向で相対的に戸体１２の内部側に位置するとともに戸体本体１３と手掛け部１７の間に見込方向でスペース２０が形成され、室外側操作部１９は、手掛け部１７の裏側のスペース２０に配置される。【選択図】図１８
2018123490.tif 000002
【特許請求の範囲】
【請求項１】
枠体と、
前記枠体に開閉可能に取り付けられる戸体と、
閉鎖位置の前記戸体を前記枠体に固定する固定機構と、
前記戸体の表面を構成する表面部材によって形成される手掛け部と、
前記固定機構による前記戸体の固定を解除する操作部と、
を備え、
前記表面部材における前記手掛け部の隣接部分が、前記手掛け部に対して見込方向で相対的に前記戸体の内部側に位置するとともに前記戸体の本体と前記手掛け部の間に見込方向でスペースが形成され、
前記操作部は、前記手掛け部の裏側の前記スペースに配置される建具。
【請求項２】
前記スペースは、見付方向で吊元側から戸先側に貫通している請求項１に記載の建具。
【請求項３】
前記手掛け部は、前記表面部材から継ぎ目なく一体的に形成される請求項１又は２に記載の建具。
【請求項４】
前記表面部材は、化粧材であり、
前記手掛け部は、前記化粧材の一部を構成する請求項１又は２に記載の建具。
【発明の詳細な説明】
【技術分野】
【０００１】
本発明は、戸体を備える建具に関する。
【背景技術】
【０００２】
従来、枠体に開閉可能に取り付けられる戸体を備える建具において、ハンドルを操作して枠体に対する戸体の固定を解除する構成が知られている。この種の建具を開示するものとして例えば特許文献１がある。
【０００３】
特許文献１には、上枠、下枠及び左右の縦枠からなる枠体と、この枠体内に丁番を介して回動自在に吊り込まれたドア本体とを備え、下枠の上面に室外方向に向って下降傾斜する傾斜面を形成し、ドア本体の下端にドアパッキンを設け、このドアパッキンはドア本体に取付けられる基部と下枠の傾斜面に対向する中空の当接部とからなり、この当接部は下枠の傾斜面に沿って略傾斜形状に形成され、その略傾斜形状部分がドア本体の全閉時に下枠の傾斜面に当接して変形しつつ密着するようにした建具について記載されている。
【先行技術文献】
【特許文献】
【０００４】
【特許文献１】特開２００１−３４２７７７号公報
【発明の概要】
【発明が解決しようとする課題】
【０００５】
特許文献１に示すような従来の建具では、戸体の開閉を行うためのハンドルが戸体の表面に取り付けられている。そのため、枠体に戸体を固定するためのラッチ機構を解除するためのハンドル（操作部）が戸体の表面で独立した構成となっており、ハンドルが突出物として目立ってデザイン上の制約となっている。
【０００６】
本発明は、戸体の開閉を行うための操作部が外側から目立たず、戸体の統一的なデザインを実現できる構造の建具を提供することを目的とする。
【課題を解決するための手段】
【０００７】
本発明は、枠体（例えば、後述の枠体２，１１）と、前記枠体に開閉可能に取り付けられる戸体（例えば、後述の戸体３，１２，２５０）と、閉鎖位置の前記戸体を前記枠体に固定する固定機構（例えば、後述のラッチ機構５５，１８）と、前記戸体の表面を構成する表面部材（例えば、後述の室外側表面部３１，室外側面材１４，化粧材２６０）によって形成される手掛け部（例えば、後述の手掛け部９，１７，２７０）と、前記固定機構による前記戸体の固定を解除する操作部（例えば、後述の室外側操作部５４，１９）と、を備え、前記表面部材における前記手掛け部の隣接部分（例えば、後述の隣接部分５７，８２，２８１）が、前記手掛け部に対して見込方向で相対的に前記戸体の内部側に位置するとともに前記戸体の本体（例えば、後述の戸体本体３０，１３，２５１）と前記手掛け部の間に見込方向でスペース（例えば、後述のスペース５３，２０，２８０）が形成され、前記操作部は、前記手掛け部の裏側の前記スペースに配置される建具（例えば、後述の枠付ドア１）に関する。
【０００８】
前記スペース（例えば、後述のスペース２０，２８０）は、見付方向で吊元側から戸先側に貫通していてもよい。
【０００９】
前記手掛け部（例えば、後述の手掛け部１７）は、前記表面部材から継ぎ目なく一体的に形成されてもよい。
【００１０】
前記表面部材は、化粧材（例えば、後述の化粧材２６０）であり、前記手掛け部は、前記化粧材の一部を構成してもよい。
【発明の効果】
【００１１】
本発明の建具の構造によれば、戸体の開閉を行うための操作部が外側から目立たず、戸体の統一的なデザインを実現できる。
【図面の簡単な説明】
【００１２】
【図１】本発明の第１実施形態に係る枠付ドアの斜視図である。
【図２】第１実施形態の枠付ドアの正面図である。
【図３】第１実施形態の枠付ドアの背面図である。
【図４】第１実施形態の枠付ドアの平面図である。
【図５】第１実施形態の枠付ドアの底面図である。
【図６】第１実施形態の枠付ドアの右側面図である。
【図７】第１実施形態の枠付ドアの左側面図である。
【図８】第１実施形態の枠付ドアにおける図２のＡ−Ａ線端面図である。
【図９】第１実施形態の枠付ドアにおける図２のＢ−Ｂ線端面図である。
【図１０】第１実施形態の枠付ドアの使用状態の正面図である。
【図１１】第１実施形態の枠付ドアの戸体が開いた状態の正面図である。
【図１２】第１実施形態の枠付ドアの戸体が開いた状態の横断面図である。
【図１３】第１実施形態の枠付ドアのヒンジ部及びその周囲の拡大横断面図である。
【図１４】第１実施形態の枠付ドアのラッチ機構及びその周囲の拡大横断面図である。
【図１５】第１変形例の枠付ドアの一部を模式的に示す横断面図である。
【図１６】第２変形例の枠付ドアの一部を模式的に示す横断面図である。
【図１７】第３変形例の枠付ドアの一部を模式的に示す横断面図である。
【図１８】第２実施形態に係る枠付ドアの斜視図である。
【図１９】第２実施形態の枠付ドアの正面図である。
【図２０】第２実施形態の枠付ドアが備える戸体の手掛け部の様子を模式的に示す拡大側面図である。
【図２１】第３実施形態の戸体の斜視図である。
【図２２】第３実施形態の戸体の正面図である。
【図２３】第３実施形態の戸体の透過部の領域を模式的に示す正面図である。
【図２４】第３実施形態の戸体の手掛け部の様子を模式的に示す拡大側面図である。
【発明を実施するための形態】
【００１３】
以下、本発明の好ましい実施形態について、図面を参照しながら説明する。なお、本明細書において、「見付方向」は建物に形成された開口部に納められた建具における戸体の面方向を意味し、見付面は正面側から見たときに見える面である。また、「見込方向」は建具の奥行方向であり、戸体の厚み方向を意味し、見込面は奥行方向の面（見付方向を向く面）である。
【００１４】
まず、図１〜図９を参照して本発明の第１実施形態の建具としての枠付ドア１の外観について説明する。
【００１５】
図１〜図７に示すように、枠付ドア１は、建物の開口部に固定される枠体２と、枠体２に取り付けられる戸体３と、を主要な構成として備える建具であり、室内外の出入口を構成する玄関ドアである。
【００１６】
枠体２は、上枠２１と、吊元側縦枠２２と、戸先側縦枠２３と、下枠２４と、が矩形に枠組みされて構成される。図３の背面視に示すように、戸体３は、枠体２の吊元側縦枠２２に３個のヒンジ部７０を介して取り付けられる。なお、ヒンジ部７０の構成については後述する。
【００１７】
戸体３は、その上部に上枠２１を隠す上部枠カバー４１が設けられる。図８は、本実施形態の枠付ドア１における図２のＡ−Ａ線端面図である。図８に示すように、上部枠カバー４１は、戸体３における枠体２の内側を閉鎖する部分から上方に延出する壁状に形成されており、上枠２１の見付面に対して見込方向で対面している。
【００１８】
戸体３は、その吊元側に吊元側縦枠２２を隠す吊元側枠カバー４２が設けられるとともに、その戸先側に戸先側縦枠２３を隠す戸先側枠カバー４３が設けられる。図９は、本実施形態の枠付ドア１における図２のＢ−Ｂ線端面図である。図９に示すように、吊元側枠カバー４２は、戸体３における枠体２の内側を閉鎖する部分の戸先側から壁状に延出して吊元側縦枠２２の枠体見付面２２１に対して見込方向で対面している（図１３参照）。同様に、戸先側枠カバー４３は、戸体３における枠体２の内側を閉鎖する部分の吊元側から壁状に延出して戸先側縦枠２３の枠体見付面２３１に対して見込方向で対面している（図１４参照）。
【００１９】
図２の正面視に示すように、閉鎖位置の戸体３の上部枠カバー４１、吊元側枠カバー４２及び戸先側枠カバー４３は、上枠２１、吊元側縦枠２２及び戸先側縦枠２３をそれぞれ隠す枠隠しとして機能し、枠体２の３方（上左右）が隠れる状態となる。
【００２０】
また、本実施形態では、戸体３の板状部分である戸体本体３０の室外側の表面を構成する室外側表面部３１と、室内側の表面を構成する室内側表面３２と、板状の外形をなす戸体本体３０と、が一体的な部材となっている。
【００２１】
戸体３の室外側表面部３１の戸先側には、見込方向に凹む凹部５０が形成される。本実施形態の凹部５０は、戸体３の上面から下面まで途切れることなく延びる溝状に形成されている。図２に示すように、凹部５０における正面を向く底面５１の下部にはシリンダ錠５が配置される。なお、部率的な鍵で開け閉めするシリンダ錠５に替えて電気錠を用いることもできる。例えば、暗証番号やバイオメトリクス認証等を行うための操作部を戸体に配置し、暗証番号や指紋認証に連動して錠機構が動作（開け閉め）する構成や、リーダ等の受信部を戸体に配置し、ＩＣカードやスマートフォン等の通信により錠機構が動作する構成としてもよい。
【００２２】
図９に示すように、戸体３の室外側表面部３１の裏側には凹部５０に連通するスペース５３が形成される。このスペース５３に戸体３を閉鎖位置で固定するラッチ機構５５を操作するための室外側操作部５４が配置される。
【００２３】
図１に示すように、本実施形態のスペース５３は、凹部５０の戸先側の内側面５２から見付方向の戸先側に延びる空間となっている。図２に示すように、スペース５３は、少なくとも正面視において外側から見えない死角に位置している。また、図３の背面視に示すように、戸体３の室内側表面３２の戸先側には、室内側操作部６０が配置される。また、室外側表面部３１において、裏側にスペース５３がある部分が手掛け部９として機能する。そして、凹部５０は、手掛け部９に対して相対的に戸体３の内部側に位置するように構成される。図９に示すように、室内側操作部６０は、室内側表面３２と略面一になるように埋設されている。なお、ラッチ機構５５、室外側操作部５４、及び室内側操作部６０の構成については後述する。
【００２４】
次に、建物に設置される枠付ドア１及び戸体３を開閉するための構造について説明する。図１０は、本実施形態の枠付ドア１の使用状態の正面図である。図１１は、本実施形態の枠付ドア１の戸体３が開いた状態の正面図である。図１２は、本実施形態の枠付ドア１の戸体３が開いた状態の横断面図である。
【００２５】
図１０〜図１２に示すように、枠体２のうち、上枠２１、吊元側縦枠２２、戸先側縦枠２３は壁４に固定されている。下枠２４は、その下部が地面又は床面に埋設されている。上述のように、戸体３が閉鎖位置にある状態では、上枠２１、吊元側縦枠２２及び戸先側縦枠２３が戸体３の上部枠カバー４１、吊元側枠カバー４２及び戸先側枠カバー４３によって正面側から隠れる位置関係となる。そして、図１０及び図１１に示すように、戸体３が閉鎖位置から９０度開いた状態では上枠２１及び戸先側縦枠２３については正面側から見える状態となる。なお、本実施形態の下枠２４については、戸体３が閉鎖位置及び開放位置の何れに位置するかに関わらず外側からほとんど見えない位置関係となっている。
【００２６】
図１０に示すように、戸体３の開閉範囲及び回転速度をコントロールするドアクローザ６が戸体３の吊元側の上部と上枠２１を連結固定している。ドアクローザ６により戸体３の開閉範囲は略９０度に設定されている。また、図１１に示すように、枠体２の戸先側縦枠２３の吊元側を向く見込面９０には、ラッチ受け具７及びシリンダ錠受け具８が設けられる。
【００２７】
次に、ヒンジ部７０の構成について説明する。図１３は、本実施形態の枠付ドア１のヒンジ部７０及びその周囲の拡大横断面図である。
【００２８】
図１３に示すように、本実施形態の吊元側縦枠２２には、戸先側を向く見込面９１に吊元側戸当たり２７が配置される。吊元側戸当たり２７には、緩衝材としてパッキン部材２８が配置される。また、吊元側縦枠２２と壁４の間にはコーキング部９２等が設けられる。
【００２９】
本実施形態のヒンジ部７０は、いわゆる隠し丁番であり、枠側固定部７１と、戸体側固定部７２と、ヒンジ連結部７３と、主要な構成として備える。
【００３０】
枠側固定部７１は、縦長のブロック状に形成されており、吊元側縦枠２２の枠体見付面２２１に埋設される。
【００３１】
戸体側固定部７２は、縦長のブロック状に形成されており、閉鎖位置において戸体３の吊元側枠カバー４２の枠体見付面２２１に対向する部位に埋設される。以下、吊元側枠カバー４２の枠体見付面２２１に対向する部位を枠カバー対向面４２１とする。
【００３２】
ヒンジ連結部７３は、枠側固定部７１と戸体側固定部７２を連結する連結部材であり、複数の垂直軸（５軸）を有するリンク機構である。本実施形態のヒンジ連結部７３は、戸体側固定部７２を回転させつつ、吊元側枠カバー４２の吊元側端面４２２が壁４の見付面４５０に対面する位置まで回動させて戸体３を開放状態（閉鎖位置から９０度開いた状態）にするように構成される。
【００３３】
戸体３が閉鎖位置にある状態では、平面視において、枠側固定部７１の内側面（外側に露出している面）７１１と戸体側固定部７２の内側面（外側に露出している面）７２１は対面している状態である。図１３の鎖線に示すように、戸体３が開放位置にある状態では、平面視において、枠側固定部７１の内側面と戸体側固定部７２の内側面は対面することなく、直交する位置関係となっている。即ち、枠カバー対向面４２１が、枠体見付面２２１から離間して戸先側を向くことにより、戸体３が開いた状態になっている。
【００３４】
なお、ヒンジ連結部７３の構造は、一般的な隠し丁番に使用されるものを利用することができ、本実施形態では、ヒンジ連結部７３自体は１８０度回転可能なものが用いられており、ドアクローザ６によって回転範囲が設定されている。
【００３５】
次に、ラッチ機構５５、室外側操作部５４、及び室内側操作部６０の構成について説明する。図１４は、本実施形態の枠付ドアのラッチ機構５５及びその周囲の拡大横断面図である。
【００３６】
図１４に示すように、本実施形態の戸先側縦枠２３には、吊元側を向く見込面９０に戸先側戸当たり２５が配置される。戸先側戸当たり２５には、緩衝材としてパッキン部材２６が配置される。また、戸先側縦枠２３と壁４の間にはコーキング部９２等が設けられる。戸体３の閉鎖位置では、戸先側縦枠２３の枠体見付面２３１と戸先側枠カバー４３が見込方向で対向する位置関係となる。以下、閉鎖位置において、戸先側縦枠２３の枠体見付面２３１に対面する戸先側枠カバー４３の部位を枠カバー対向面４３１として説明する。
【００３７】
戸先側枠カバー４３を含む戸体３の戸先側の内部には、ラッチ機構５５、室外側操作部５４、及び室内側操作部６０を配置するための配置スペース８０が形成される。この配置スペース８０には、ラッチ機構５５、室外側操作部５４、及び室内側操作部６０を保持するための室内側ブラケット５８及び室外側ブラケット６５が設けられる。室内側ブラケット５８及び室外側ブラケット６５により、ラッチ機構５５、室外側操作部５４、及び室内側操作部６０が戸体３内部の戸先側で固定される。
【００３８】
ラッチ機構５５は、戸体３を枠体２に固定する固定機構である。本実施形態のラッチ機構５５は、本体ケース５５１と、該本体ケース５５１から突出して戸体３を固定するラッチ部５５２と、を主要な構成として備える。本体ケース５５１の内部には、本体ケース５５１から突出させて戸体３を固定する固定位置と、本体ケース５５１に退避させる解除位置と、の間でラッチ部５５２を移動させるための機構が内蔵される。
【００３９】
室外側操作部５４について説明する。室外側操作部５４は、戸体３のスペース５３を形成する裏側面５６に配置されており、室外側表面部３１の裏側に位置する。室外側操作部５４は、室外側連動部材５９を介してラッチ機構５５に連結される。室外側連動部材５９は、平面視において室外側操作部５４から見込方向の室内側に延びた後、見付方向の吊元側に屈曲し、更に見込方向の室内側に延びた後、本体ケース５５１に接続されている。
【００４０】
室外側操作部５４は、配置スペース８０における戸先側枠カバー４３の内側の空間を利用して配置されている。室外側操作部５４及び室外側連動部材５９の一部が戸先側枠カバー４３の内部空間に入り込むレイアウトになっている。本実施形態では、戸先側縦枠２３における見込面９０に対面する戸先面３１１よりも室外側操作部５４の戸先側の端部が吊元側から離れており、吊元側から室外側操作部５４までの距離を長く確保できるようになっている。
【００４１】
使用者が、室外側からロックを解除する場合は、スペース５３に手を差し入れて室外側操作部５４を手前に押す（操作する）ことにより、室外側操作部５４に連動する室外側連動部材５９が可動してラッチ機構５５のロックが解除される。図２の正面視では、室外側操作部５４は、外部から見えない死角に位置している。
【００４２】
室内側操作部６０について説明する。室内側操作部６０は、戸体３の室内側表面３２に形成される室内側凹部６６に埋設される。本実施形態の室内側凹部６６は、室外側ブラケット６５によって構成される。
【００４３】
室内側操作部６０は、室内側凹部６６の内側に配置される垂直軸６１と、垂直軸６１によって回転自在に支持される回転板６２と、回転板６２の回転をラッチ機構５５に伝達する室内側連動部材６３と、を主要な構成として備える。
【００４４】
回転板６２は、上下方向に細長の板状に形成される。回転板６２は、戸先側に配置される垂直軸６１によって軸支されている。回転板６２は、戸体３を固定する固定位置では、室内側表面３２に略面一の状態となっている。
【００４５】
使用者が、室内側からロックを解除する場合は、回転板６２の吊元側の端部を室内側凹部６６の見込方向の室外側に押す（操作する）ことにより、回転板６２の吊元側が室内側凹部６６に回転し、この回転に連動する室内側連動部材６３によりラッチ機構５５のロックが解除される。
【００４６】
以上説明した第１実施形態によれば、以下のような効果を奏する。
枠付ドア１は、枠体２と、枠体２に開閉可能に取り付けられる戸体３と、閉鎖位置の戸体３を枠体２に固定するラッチ機構５５と、戸体３の表面を構成する室外側表面部３１によって形成される手掛け部９と、ラッチ機構５５による戸体３の固定を解除する室外側操作部５４と、を備える。室外側表面部３１における手掛け部９の隣接部分５７が、手掛け部９に対して見込方向で相対的に戸体３の内部側に位置するとともに戸体本体３０と手掛け部９の間に見込方向でスペース５３が形成され、室外側操作部５４は、手掛け部９の裏側のスペース５３に配置される。
これにより、手掛け部９が戸体３の室外側表面部３１により構成されるので、手掛け部９を独立した部品で構成する場合に比べ、枠付ドア１の構造をシンプルにすることができる。また、手掛け部９が戸体３の室外側表面部３１と一体的になるとともに、室外側操作部５４が手掛け部９の裏側に隠れるので、統一感のあるデザイン性の高い建具を実現できる。
【００４７】
また、第１実施形態では、以下のような効果も奏する。
枠付ドア１は、枠体２と、枠体２を構成する戸先側縦枠２３に回転可能に取り付けられ、その室外側表面部３１に見込方向に凹む凹部５０及び凹部５０の内側面５２から室外側表面部３１の裏側で見付方向に延びるスペース５３が形成される戸体３と、戸体３の戸先側に配置され、閉鎖位置の戸体３を枠体２に固定するラッチ機構５５と、戸体３の室外側表面部３１の裏側でスペース５３を形成する部分に配置され、ラッチ機構５５の固定解除を操作する室外側操作部５４と、を備える。
【００４８】
これにより、室外側表面部３１に形成された凹部５０に連通し、戸体３の裏側に延びるスペース５３に室外側操作部５４が配置されることになるので、室外側表面部３１から突起物（例えば、従来のハンドル）を取り除くことができる。突起物がないので、人や物が突起物に引っ掛かったりすることもなくなり、安全性をより向上させることができる。また、突起物がなく、室外側操作部５４は正面からは見死角に位置するので、デザイン性を向上させることができる。ハンドル等の突起物に左右されなくなってデザインの選択の幅を広げることができる。
【００４９】
また、本実施形態の戸体３は、閉鎖位置において枠体２を構成する戸先側縦枠２３の枠体見付面２３１を覆う戸先側枠カバー４３を有する。
【００５０】
これにより、戸体３が閉鎖位置にある状態では、建物に固定される戸先側縦枠２３が戸先側枠カバー４３によって隠れるので戸体３と建物が一体的なデザインを行うことができ、より一層意匠性を向上させることができる。
【００５１】
また、本実施形態の戸先側枠カバー４３は、その内側に中空の配置スペース８０が形成され、室外側操作部５４が配置スペース８０に配置される。
【００５２】
これにより、従来のハンドル位置よりも戸先側に室外側操作部５４を設けることができるので、戸体３の支点であるヒンジ部７０から作用点である室外側操作部５４までの距離を長くとることができ、開閉力を軽減することができる。
【００５３】
また、本実施形態の戸体３の室内側表面３２には、ラッチ機構５５に連動する室内側操作部６０を埋設する第２凹部としての室内側凹部６６が形成される。
【００５４】
これにより、室内側表面３２においても、ラッチ機構５５を操作するための室内側操作部６０が戸体３に内蔵されることになり、ラッチ機構５５を操作する機能を保持したまま突起物をなくして室内側表面３２をフラットにすることができる。これによって、意匠性及び安全性を向上させることができる。また、図１１に示すように、突起物に左右されることなく、有効開口を利用できるので、車椅子使用者の出入りの利便性も向上させることができる。
【００５５】
また、本実施形態の枠付ドア１は、枠体２と、枠体２を構成する吊元側縦枠２２の枠体見付面２２１を覆う吊元側枠カバー４２を有する戸体３と、枠体２に対して戸体３を開閉可能に支持するヒンジ部７０と、を備える。ヒンジ部７０は、枠体２の吊元側の枠体見付面２２１に配置される枠側固定部７１と、枠体見付面２２１に対向する枠カバー対向面４２１に配置される戸体側固定部７２と、枠カバー対向面４２１が枠体見付面２２１に対向する閉鎖位置と枠カバー対向面４２１が戸先側を向く開放位置との間を移動できるように、枠側固定部７１と戸体側固定部７２を連結するヒンジ連結部７３と、を有する。
【００５６】
これにより、ヒンジ部７０の納め方を従来とは異なる位置、即ち、枠体見付面２２１に枠側固定部７１を埋設（配置）するとともに、枠カバー対向面４２１に戸体側固定部７２を埋設（配置）することにより、戸体３を開放位置にしても吊元側枠カバー４２が枠体２や壁４に干渉する事態を回避する構成を実現できる。これによって、従来はできなかった吊元側枠カバー４２付の戸体３の開閉が可能となり、外部に露出しない隠し丁番であるヒンジ部７０を使用しつつ、吊元側枠カバー４２により吊元側縦枠２２を隠すことができ、吊元側の意匠性を向上させることができる。
【００５７】
次に、第１実施形態の変形例について説明する。なお、以下の説明において戸体３の戸先側に内蔵されるラッチ機構５５、室外側操作部５４及び室内側操作部６０の構成は上記実施形態の戸体３と同様の構成である。また、既に説明した構成と同様の構成については、同じ符号を付してその説明を省略することがある。
【００５８】
図１５は、第１変形例の枠付ドア１０１の一部を模式的に示す横断面図である。図１５に示すように、第１変形例の枠付ドア１０１は、戸先側縦枠１３１の枠体見付面１３５が正面視において外部から見えるにように構成されている。戸体１５３の戸先側枠カバー４３は、戸先側縦枠１３１の一部を隠す部材として機能している。
【００５９】
吊元側縦枠１２１についてもその枠体見付面１２５が外部から視認できるように構成される。第１変形例の戸体１５３の吊元側端面は、吊元側縦枠１２１に左右方向（見付方向）で対面しており、上記実施形態における吊元側枠カバー４２の構成が省略されている。また、戸体１５３を支持するヒンジ部１７０は、従来の隠し丁番の納め方と同様の配置となっている。なお、戸体１５３の吊元側に吊元側枠カバー４２がないので、戸体１５３を開放位置にしたときも吊元側枠カバー４２が吊元側縦枠１２１に干渉することもない。即ち、第１変形例では、吊元側縦枠１２１を隠す機能を省略する一方、ヒンジ部１７０については外部から見えない隠し丁番が採用されている。
【００６０】
図１６は、第２変形例の枠付ドア１０２の一部を模式的に示す横断面図である。図１６に示すように、第２変形例の枠付ドア１０２は、隠し丁番ではなく、いわゆる旗丁番がヒンジ部１７１として用いられている。このように、第２変形例では、上述の旗丁番、五管丁番、ピボットヒンジ、段付き丁番等、隠し丁番以外の外観上見える丁番がヒンジ部１７１として採用されている。
【００６１】
図１７は、第３変形例の枠付ドア１０３の一部を模式的に示す横断面図である。図１７に示すように、第３変形例のヒンジ部１７２は、第２変形例と同様に、旗丁番等の外部に露出する丁番であり、上記実施形態のヒンジ部７０と同様の配置で吊元側枠体１２２及び戸体３に固定される。即ち、ヒンジ部１７２の枠側固定部は吊元側枠体１２２の枠体見付面１２６に固定され、戸体側固定部は戸体３の吊元側枠カバー４２の枠カバー対向面４２１に固定される。なお、第３変形例における戸先側枠体１３２の枠体見付面１３６は、戸先側枠カバー４３によって隠れるように構成される。
【００６２】
なお、第１実施形態では、スペース５３の戸先側が閉塞する構成であるが、この構成に限定されない。例えば、スペース５３を延長して戸体３の室外側表面部３１に開口するようなトンネル状に構成することもできる。また、凹部５０は上下方向に細長く構成されているが、戸体の端面まで達しないようなブロック状の凹部としてもよいし、横方向（水平方向）に延びるように構成することもできる。このように凹部５０に関する構成についても、事情に応じて適宜変更することができる。
【００６３】
次に、第１実施形態とは、ラッチ機構（固定機構）や室外側操作部の構成が異なる別実施形態について説明する。なお、以下の説明においても上記実施形態及び変形例で説明した構成と共通又は同様の構成については同じ符号を付して説明を省略する場合がある。
【００６４】
図１８は、第２実施形態に係る枠付ドア１０の斜視図である。図１９は、第２実施形態の枠付ドア１０の正面図である。図２０は、第２実施形態の枠付ドア１０が備える戸体１２の手掛け部１７の様子を模式的に示す拡大側面図である。
【００６５】
図１８から図２０に示す枠付ドア１０は、建物の開口部に固定される枠体１１と、枠体１１に開閉可能に取り付けられる戸体１２と、を主要な構成として備える建具であり、室内外の出入口を構成する玄関ドアである。
【００６６】
枠体１１は、見付面の幅が一般的なものよりも細めのものが用いられる。枠体１１は、上枠１１１、吊元側縦枠１１２、戸先側縦枠１１３、下枠１１４が矩形に枠組みされて構成される。
【００６７】
戸体１２は、閉鎖位置において見えなくなる構造のいわゆる隠し丁番（図示省略）を介して枠体１１に開閉可能に連結される開き戸である。隠し丁番は、図１５のヒンジ部１７０と同様の構造である。
【００６８】
第２実施形態の戸体１２は、戸体本体１３と、戸体１２の室外側の表面を構成する室外側面材１４と、戸体１２の室内側の表面を構成する室内側面材１５と、光を透過させる採光窓１６と、室外側に配置される手掛け部１７と、戸体１２を閉鎖位置で固定するラッチ機構１８と、ラッチ機構１８に連動する室外側操作部１９と、ラッチ機構１８に連動する室内側操作部（図示省略）と、錠機構（図示省略）と、を主要な構成として備える。
【００６９】
戸体本体１３は、その外形が板状に形成されており、前述の隠し丁番によって枠体１１の内側に回転可能に支持される。室外側面材１４は戸体本体１３の室外側の面に固定され、室内側面材１５は室内側の面に固定される。
【００７０】
採光窓１６は、戸体本体１３の内部に埋設されるガラス等の透光性の部材によって構成される。本実施形態の採光窓１６は、戸体１２の戸先側で上下方向に細長く延びるように構成されている。
【００７１】
手掛け部１７は、室外側面材１４における採光窓１６より戸先側であって上下方向の中央よりやや下部に配置される。第２実施形態の手掛け部１７は、室外側面材１４の一部が見込方向室外側に隆起することにより形成される。正面視において、室外側面材１４と手掛け部１７の間には明確な境界がないシームレスな形状となっている。
【００７２】
図２０の側面視に示すように、手掛け部１７は、滑らかな山型の形状に盛り上がっている。手掛け部１７は室外側面材１４の一部が盛り上がることによって形成されるので、室外側面材１４における手掛け部１７の吊元側の隣接部分８２が手掛け部１７に対して相対的に見込方向室内側（戸体１２の内部側）に位置する段差構造となっている。本実施形態では、隣接部分８２が採光窓１６の一部となっている。
【００７３】
室外側面材１４の一部である手掛け部１７が戸体本体１３に対して見込方向室外側に位置することにより、手掛け部１７と戸体本体１３の室外側の面との間に見込方向のスペース２０が形成される。第２実施形態のスペース２０は、見付方向（左右方向）に貫通する貫通孔となっている。
【００７４】
ラッチ機構１８は、戸体本体１３内部の戸先側に内蔵される固定機構である。ラッチ機構１８により、戸体１２が閉鎖位置で枠体１１に固定される。ラッチ機構１８の基本的な構成は、第１実施形態のラッチ機構５５と同様である。
【００７５】
室外側操作部１９は、手掛け部１７の裏側に形成されるスペース２０に配置される操作レバーである。室外側操作部１９は、室外側連動部材８１により機械的にラッチ機構１８に連動接続される。室外側操作部１９が手前側に引かれることにより、ラッチ機構１８による戸体１２の固定が解除される。なお、第２実施形態のラッチ機構１８は、室外側操作部１９の回転軸が水平方向を向いている点が第１実施形態と異なっているが基本的な構成は同様である。
【００７６】
室内側操作部（図示省略）は、第１実施形態と同様の構成であり、戸体本体１３に埋設され、ラッチ機構１８に連動接続される。
【００７７】
第２実施形態の室外側操作部１９は、スペース２０に配置されることにより、正面視において手掛け部１７によって隠れる死角に位置することになる。第２実施形態のスペース２０は左右方向に貫通しているので、使用者は左右両側からスペース２０に手を差し入れて室外側操作部１９を操作できるようになっている。
【００７８】
錠機構（図示省略）は、ラッチ機構１８とは別に、鍵を用いて閉鎖位置の戸体１２を枠体１１にロックする機構である。例えば、錠機構としては、第１実施形態と同様のシリンダ錠５を配置し、物理的な鍵によって鍵の開け閉めを行う構成を用いることができる。
【００７９】
なお、錠機構は電気錠を用いることもできる。例えば、暗証番号やバイオメトリクス認証等を行うための操作部を戸体に配置し、暗証番号や指紋認証に連動して錠機構が動作（開け閉め）する構成や、リーダ等の検知部を戸体に配置し、ＩＣカード、スマートフォン、リモートコントローラ等の通信により錠機構が動作する構成としてもよい。また、シリンダ錠と電気錠を併用する構成としてもよい。
【００８０】
以上説明した第２実施形態によれば、以下のような効果を奏する。
枠付ドア１０は、枠体１１と、枠体１１に開閉可能に取り付けられる戸体１２と、閉鎖位置の戸体１２を枠体１１に固定するラッチ機構１８と、戸体１２の表面を構成する室外側面材１４によって形成される手掛け部１７と、ラッチ機構１８による戸体１２の固定を解除する室外側操作部１９と、を備える。室外側面材１４における手掛け部１７の隣接部分８２が、手掛け部１７に対して見込方向で相対的に戸体１２の内部側に位置するとともに戸体本体１３と手掛け部１７の間に見込方向でスペース２０が形成され、室外側操作部１９は、手掛け部１７の裏側のスペース２０に配置される。
この第２実施形態の構成においても、手掛け部１７が戸体１２の室外側面材１４によって構成されるので、手掛け部１７を独立した部品で構成する場合に比べて建具の構造をシンプルにすることができる。また、手掛け部１７が戸体１２の室外側面材１４と一体的になるとともに、室外側操作部１９が手掛け部１７の裏側に隠れるので、統一感のあるデザイン性の高い枠付ドア１０を実現できる。
【００８１】
また、第２実施形態では、スペース２０が見付方向で吊元側から戸先側に貫通している。これにより、使用者は左右どちら側からでもスペース２０に手を差し入れて室外側操作部１９を操作できるので、利き腕に関係なく開き易い枠付ドア１０を実現できる。
【００８２】
また、本実施形態の手掛け部１７は、室外側面材１４から継ぎ目なく一体的に形成される。これにより、手掛け部１７が戸体１２の表面に溶け込むようなノイズレスなデザインを実現でき、意匠性をより一層向上させることができる。
【００８３】
第２実施形態では、室外側面材１４及び室内側面材１５と戸体本体１３の別体として説明したが、室外側面材１４及び室内側面材１５と戸体本体１３が同一の材料で構成される一体的なものとすることもできる。この場合、戸体の室外側面に同様の手掛け部が構成されることになる。
【００８４】
次に、第３実施形態の戸体２５０について説明する。図２１は、第３実施形態の戸体２５０の斜視図である。図２２は、第３実施形態の戸体２５０の正面図である。なお、第３実施形態の説明において、枠体の図示を省略しているが、第３実施形態の戸体２５０が用いられる枠体は第１実施形態や第２実施形態のものと同様のものである。
【００８５】
戸体２５０は、戸体本体２５１と、戸体本体２５１の表面を構成する化粧材２６０と、光を透過させる透過部２５５と、室外側に配置される手掛け部２７０と、戸体２５０を閉鎖位置で固定するラッチ機構１８と、ラッチ機構１８に連動する室外側操作部１９と、ラッチ機構１８に連動する室内側操作部（図示省略）と、錠機構（図示省略）と、を主要な構成として備える。
【００８６】
第３実施形態では、戸体本体２５１の表面には、和式の障子を模した化粧材２６０が固定される。化粧材２６０は、和紙に相当する障子部２６１と、組子に相当する組子部２６２と、を備える。障子部２６１は、その材質が紙製に限られるわけではなく、樹脂等の適宜の材料を用いることができる。
【００８７】
障子部２６１の室外側に組子部２６２が固定される。組子部２６２は、上下方向に延びる複数の縦組子２６３と、左右方向に延びる複数の横組子２６４と、が格子状に配列されて構成される。格子状に構成される組子部２６２により区画された空間は、戸体２５０の凹部２６５となる。
【００８８】
凹部２６５は、その底面に相当する障子部２６１が、組子部２６２の見込方向室外側の端面（見付面）に対して見込方向室内側（戸体本体２５１の内部側）に位置する。即ち、組子部２６２と障子部２６１は、段差構造を構成している。
【００８９】
図２３は、第３実施形態の戸体２５０の透過部２５５の領域を模式的に示す正面図である。図２３では、障子部２６１における非透光性の部分をドットの網掛けで表現している。図２３に示すように、障子部２６１における中央部分（網掛けされていない部分）が透光性の材料で構成される透過部２５５となっている。この透過部２５５により、光を透過させることで、障子の持つ心地よい透過光が再現されている。
【００９０】
手掛け部２７０は、組子部２６２によって構成される。本実施形態の手掛け部２７０は、化粧材２６０における透過部２５５よりも戸先側に配置され、組子部２６２の他の部分よりも幅や厚みが大きく形成されている。本実施形態の手掛け部２７０は、裏側に切欠き部２７５が形成される。手掛け部２７０が化粧材２６０の一部（組子部２６２）によって構成されることにより、戸体２５０のまとまりあるデザインが実現されている。
【００９１】
図２４は、第３実施形態の戸体２５０の手掛け部２７０の様子を模式的に示す拡大側面図である。図２４に示すように、組子部２６２によって形成される凹部２６５のうち、手掛け部２７０の左右両側の隣接部分２８１は、手掛け部２７０に対して見込方向で室内側に位置している。これによって手掛け部２７０の室内側の部位と障子部２６１の間には見込方向のスペース２８０が形成される。スペース２８０は、左右方向（見付方向）に貫通しており、第２実施形態と同様に、使用者は左右どちら側からでもスペース２０に手を差し入れることができるようになっている。
【００９２】
ラッチ機構１８に連動する室外側操作部１９は、手掛け部２７０と戸体本体２５１の間に形成される見込方向のスペース２８０に配置される。本実施形態では、手掛け部２７０の裏側に配置されており、正面視において室外側操作部１９が手掛け部２７０に隠れる構造となっている。使用者は、第２実施形態と同様に、室外側操作部１９を操作することでラッチ機構１８を解除することができる。なお、室内側操作部及び錠機構（何れも図示省略）は、第２実施形態と同様の構成である。
【００９３】
以上説明した第３実施形態では、表面部材としての化粧材２６０によって手掛け部２７０が形成される。また、手掛け部２７０の隣接部分２８１である凹部２６５が、手掛け部２７０に対して見込方向で相対的に戸体２５０の内部側に位置するとともに戸体本体２５１と手掛け部２７０の間に見込方向でスペース２８０が形成され、このスペース２８０に室外側操作部１９が配置される。
この第３実施形態では、手掛け部２７０が化粧材２６０の一部となることにより、手掛け部２７０が戸体２５０から独立した存在ではなくなっており、戸体２５０として統一感のあるデザインが実現される。
【００９４】
なお、第３実施形態では、障子部２６１の一部が透光性を有する材料で構成されている例が示されたが障子部２６１の全部を透光性材料で構成してもよい。また、透光性を求めない場合は、透光性を有しない材料で障子部２６１全体を構成することもできる。また、化粧材は、和式の障子を模したものに限られず、種々のデザインの化粧材を用いることができる。
【００９５】
以上、本発明の好ましい実施形態について説明したが、本発明は、上述の実施形態に制限されるものではなく、適宜変更が可能である。
【００９６】
また、第２実施形態の戸体１２及び第３実施形態の戸体２５０は、枠カバーを備えない構成であるが、第１実施形態の戸体３と同様の枠カバー（上部枠カバー４１、吊元側枠カバー４２、戸先側枠カバー４３）を備える構成とすることもできる。この構成においても枠体の見付面が枠カバーによって隠れる状態となる。
【００９７】
また、上記実施形態及び変形例では、固定機構としてのラッチ機構と、使用者が操作する触れる室外側操作部と、が連動部材によって機械的に連結される構造を例として説明したがこの構成に限定されない。例えば、操作部を静電容量式タッチセンサで構成するとともにラッチ機構に駆動部（モータやソレノイド等のアクチュエータ）を配置し、静電容量式タッチセンサの検出信号に基づいてラッチ機構による戸体の固定を解除する構成としてもよい。この構成では、使用者が操作部に触れたことが検知されると、操作部から検知信号がラッチ機構の駆動部に送信され、検知信号に基づいて駆動部が動作して戸体の開錠を行う。このように戸体を固定する固定機構の構成は、事情に応じて適宜変更することができる。
【００９８】
また、上記実施形態及び変形例の構成において、室内側と室外側の形状を入れ替えることも可能である。例えば、第１実施形態において、室内側に上記実施形態の凹部５０や室外側操作部５４に相当する構造を配置し、室外側に室内側操作部６０に相当する構造を配置することも可能である。また、室内側の操作部を室外側の操作部と同じ構造にすることもできる。室内側を従来のハンドルを取り付けることもできる。更に、玄関ドアだけでなく室内ドアに本発明を適用することもできる。
【００９９】
また、上記実施形態及び変形例では、枠体に対して戸体が回転する構造の建具を例として説明したが、この構成に限定されるわけではない。閉鎖位置の状態から手前に引き出した後、横方向にスライドさせるようなスライドドア構造にも本発明を適用することができる。また、ラッチ機構を変更し、横方向にスライド移動可能な引戸や引違い戸等にも適用できる。
【０１００】
上記実施形態及び変形例は、ヒンジ部の構成や枠カバーの構成等も事情に応じて適宜変更することができ、各実施形態及び各変形例の構成を組み合わせることも可能である。
【符号の説明】
【０１０１】
１，１０  枠付ドア（建具）
２，１１  枠体
３，１２，２５０  戸体
９，１７，２７０  手掛け部
１４  室外側面材（表面部材）
１８，５５  ラッチ機構（固定機構）
１９，５４  室外側操作部（操作部）
２０，５３，２８０  スペース
３１  室外側表面部（表面部材）
５７，８２，２８１  隣接部分
２６０  化粧材（表面部材）
【図１】
2018123490.tif 000003
【図２】
2018123490.tif 000004
【図３】
2018123490.tif 000005
【図４】
2018123490.tif 000006
【図５】
2018123490.tif 000007
【図６】
2018123490.tif 000008
【図７】
2018123490.tif 000009
【図８】
2018123490.tif 000010
【図９】
2018123490.tif 000011
【図１０】
2018123490.tif 000012
【図１１】
2018123490.tif 000013
【図１２】
2018123490.tif 000014
【図１３】
2018123490.tif 000015
【図１４】
2018123490.tif 000016
【図１５】
2018123490.tif 000017
【図１６】
2018123490.tif 000018
【図１７】
2018123490.tif 000019
【図１８】
2018123490.tif 000020
【図１９】
2018123490.tif 000021
【図２０】
2018123490.tif 000022
【図２１】
2018123490.tif 000023
【図２２】
2018123490.tif 000024
【図２３】
2018123490.tif 000025
【図２４】
2018123490.tif 000026